(57)【要約】【課題】  本発明は任意の形状に配置することができ、寿命が長く、低消費電力で照明することができる照明装置を得るにある。  また、本発明は簡単に接続して、必要な長さにして任意の形状に配置することができる、製造が容易で、安価な照明装置を得るにある。【解決手段】  所定の長さに形成された可撓性の基板と、この可撓性の基板に所定間隔に取付けられた複数個の発光ダイオード素子と、この複数個の発光ダイオード素子をそれぞれ点灯できるように、前記可撓性の基板に形成された点灯回路とで照明装置を構成している。【選択図】  図１
2005222903.tif 000002
【特許請求の範囲】
【請求項１】
所定の長さに形成された可撓性の基板と、この可撓性の基板に所定間隔に取付けられた複数個の発光ダイオード素子と、この複数個の発光ダイオード素子をそれぞれ点灯できるように、前記可撓性の基板に形成された点灯回路とからなることを特徴とする照明装置。
【請求項２】
所定の帯状の長さに形成された可撓性の基板と、この可撓性の基板に所定間隔に取付けられた複数個の発光ダイオード素子と、この複数個の発光ダイオード素子をそれぞれ点灯できるように、前記可撓性の基板に形成された点灯回路と、前記可撓性の基板の両端部寄りの部位に形成された、前記点灯回路と接続された接続用の端子あるいはコネクターが取付けられた接続用の端子とからなることを特徴とする照明装置。
【請求項３】
所定の帯状の長さに形成された可撓性の基板と、この可撓性の基板に所定間隔で複数列になるように取付けられた多数個の発光ダイオード素子と、この複数列の多数個の発光ダイオード素子をそれぞれ点灯できるように、前記可撓性の基板に形成された点灯回路とからなることを特徴とする照明装置。
【請求項４】
可撓性の基板および複数個の発光ダイオード素子は、該複数個の発光ダイオード素子の少なくとも照射方向を透明あるいは半透明材を用いたカバー体で覆われていることを特徴とする請求項１ないし請求項３いずれかに記載の照明装置。
【請求項５】
点灯回路は複数個の発光ダイオード素子を順次点滅させるチップが設けられていることを特徴とする請求項１ないし請求項４いずれかに記載の照明装置。
【発明の詳細な説明】
【技術分野】
【０００１】
本発明はネオンサイン等に使用される照明装置に関する。
【背景技術】
【０００２】
従来のネオンサインは、乳白色や半透明の文字ボード内に複数個の電球や蛍光灯、ネオン管等の照明器具を配置して点灯させている。  
このため、文字を表示する場合、文字の大きさにもよるが、通常は多数の電球や蛍光灯、ネオン管が必要で、これらを点灯するには大きな消費電力がかかるという欠点があった。                              
また、電球や蛍光灯、ネオン管等の寿命は比較的短く、突然切れるので見苦しくなったり、切れた電球等の交換作業に手数がかかり、コスト高になるという欠点があった。
【特許文献１】特になし
【発明の開示】
【発明が解決しようとする課題】
【０００３】
本発明は以上のような従来の欠点に鑑み、任意の形状に配置することができ、寿命が長く、低消費電力で照明することができる照明装置を提供することを目的としている。
また、本発明は簡単に接続して、必要な長さにして任意の形状に配置することができる、製造が容易で、安価な照明装置を提供することを目的としている。
【０００４】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００５】
上記目的を達成するために、本発明は所定の長さに形成された可撓性の基板と、この可撓性の基板に所定間隔に取付けられた複数個の発光ダイオード素子と、この複数個の発光ダイオード素子をそれぞれ点灯できるように、前記可撓性の基板に形成された点灯回路とで照明装置を構成している。
【０００６】
また、本発明は所定の長さに形成された可撓性の基板と、この可撓性の基板に所定間隔に取付けられた複数個の発光ダイオード素子と、この複数個の発光ダイオード素子をそれぞれ点灯できるように、前記可撓性の基板に形成された点灯回路とで照明装置を構成している。
【０００７】
さらに、本発明は所定の帯状の長さに形成された可撓性の基板と、この可撓性の基板に所定間隔に取付けられた複数個の発光ダイオード素子と、この複数個の発光ダイオード素子をそれぞれ点灯できるように、前記可撓性の基板に形成された点灯回路と、前記可撓性の基板の両端部寄りの部位に形成された、前記点灯回路と接続された接続用の端子あるいはコネクターが取付けられた接続用の端子                  とで照明装置を構成している。
【発明の効果】
【０００８】
以上の説明から明らかなように、本発明にあっては次に列挙する効果が得られる。
【０００９】
（１）所定の長さに形成された可撓性基板に所定間隔で複数個の発光ダイオード素子を取付けているので、可撓性基板を任意の形状に曲げて、複数個の発光ダイオード素子を任意の形状に配置することができる。
したがって、複数個の発光ダイオード素子の任意の形状での配置が容易で、その配置が気軽に短時間に行なうことができる。
【００１０】
（２）可撓性基板の点灯回路で、可撓性基板に所定間隔で取付けられた複数個の発光ダイオード素子を点灯させることができる。
したがって、複数個の発光ダイオード素子は低消費電力で長寿命であるため、低コストで、従来のように使用中に切れて見苦しくなったり、メンテナンスに費用がかかり、コスト高になることがない。
【００１１】
（３）請求項２は前記（１）、（２）と同様な効果が得られるとともに、必要に応じ複数個、簡単に接続して使用することができる。
したがって、簡単に低コストで、任意の長さにして使用することができる。
【００１２】
（４）請求項３は前記（１）、（２）と同様な効果が得られるとともに、可撓性の基板に所定間隔で複数列に多数個の発光ダイオード素子を取付けているので、複数列での照明を容易に行なうことができる。
【００１３】
（５）請求項４はカバー体で可撓性の基板と複数個の発光ダイオード素子とを覆うことができる。
したがって、可撓性の基板と複数個の発光ダイオード素子をカバー体で保護することができる。また、カバー体が防水タイプであれば、野外にも安全に使用することができる。
【００１４】
（６）請求項５は、複数個の発光ダイオード素子を順次点滅させる点灯回路のチップによって、容易に複数個の発光ダイオード素子を順次点滅させることができる。
【発明を実施するための最良の形態】
【００１５】
以下、図面に示す本発明を実施するための最良の形態より、本発明を詳細に説明する。
【００１６】
図１ないし図５に示す本発明を実施するための最良の第１の形態において、１はネオンサイン等に使用される本発明の照明装置で、この照明装置１は所定の帯状の長さに形成された、曲げたり、ねじったりすることが可能な可撓性の基板２と、この可撓性の基板２に所定間隔、本発明の実施の形態では一定間隔で該可撓性の基板２の上面より上方へ突出するように取付けられた複数、本発明の実施の形態では多数個のランプ状の発光ダイオード素子３と、この多数個の発光ダイオード素子３をそれぞれ点灯できるように、前記可撓性の基板２に形成された抵抗４をそれぞれ介して、該発光ダイオード素子３に接続される点灯回路５と、前記可撓性の基板２の両端部寄りの部位に形成された、前記点灯回路５と接続された接続用の＋、−端子６、６、７、７とで構成されている。
【００１７】
上記構成の照明装置１は図５に示すように、可撓性の基板２をＣ字状に曲げてベース板８に取付けるとともに、一方の端部の接続用の＋、−端子６、７に直流の電源９をスイッチ１０を介して接続し、印加することにより、多数個の発光ダイオード素子３を点灯させることができるとともに、反電源供給側は任意の位置で切断して使用することもできる。
なお、可撓性の基板２をＣ字状に曲げる以外に、他の文字等の形状にも同様に曲げて使用することができる。
また、多数個の発光ダイオード素子３は同一の発光色のものを用いたり、所定間隔で異なる発光色のものを用いてもよい。
[発明を実施するための異なる形態]
【００１８】
次に、図６ないし図５６に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１９】
図６ないし図８に示す本発明を実施するための第２の形態において、前記本発明を実施するための最良の第１の形態と主に異なる点は、可撓性の基板２の両端部寄りの部位にピン状の接続用の＋、−端子６Ａ、６Ａ、７Ａ、７Ａを固定し、接続時に該ピン状の接続用の端子６Ａ、６Ａ、７Ａ、７Ａが挿入される筒状のコネクター１１、１１が両端部に取付けられた接続具１２、１２を用いて接続できるようにした点で、このように構成した照明装置１Ａにしても、前記本発明を実施するための最良の第１の形態と同様な作用効果が得られるとともに、複数個の照明装置１Ａ、１Ａの接続を誰でもが容易に、短時間に行なうことができる。
【００２０】
図９ないし図１１に示す本発明を実施するための第３の形態において、前記本発明を実施するための最良の第１の形態と主に異なる点は、可撓性の基板２の一端部寄りの部位に雄コネクター１３を固定するとともに、他端部寄りの部位に雌コネクター１４を固定した点で、このように構成した照明装置１Ｂにしても、前記本発明を実施するための最良の第１の形態と同様な作用効果が得られるとともに、複数個の照明装置１Ｂ、１Ｂの接続を可撓性の基板２、２が一体状態となるように接続することができる。
【００２１】
図１２ないし図１４に示す本発明を実施するための第４の形態において、前記本発明を実施するための第３の形態と主に異なる点は、可撓性の基板２の一端部寄りの部位に延長コード１５を介装した雄コネクター１３Ａを固定した点で、このように構成した照明装置１Ｃにしても、前記本発明を実施するための第３の形態と同様な作用効果が得られる。
【００２２】
図１５ないし図１７に示す本発明を実施するための第５の形態において、前記本発明を実施するための第３の形態と主に異なる点は、可撓性の基板２を曲げたり、ねじったりをより容易にできるように所定間隔で丸、角、長孔等の透孔１６を形成した点で、このように構成した照明装置１Ｄにしても、前記本発明を実施するための第３の形態と同様な作用効果が得られる。
【００２３】
図１８ないし図２０に示す本発明を実施するための第６の形態において、前記本発明を実施するための第３の形態と主に異なる点は、可撓性の基板２の一方の側面にチップ状の発光ダイオード素子３Ａを所定間隔で多数個取付けた点で、このように構成した照明装置１Ｅにしても、前記本発明を実施するための第３の形態と同様な作用効果が得られる。
【００２４】
図２１ないし図２３に示す本発明を実施するための第７の形態において、前記本発明を実施するための第３の形態と主に異なる点は、可撓性の基板２の上下部より外方へ突出するように所定間隔で２列になるように多数個の発光ダイオード素子３、３を取付けた点で、このように構成した照明装置１Ｆにしても、前記本発明を実施するための第３の形態と同様な作用効果が得られる。
【００２５】
図２４ないし図２６に示す本発明を実施するための第８の形態において、前記本発明を実施するための最良の第１の形態と主に異なる点は、可撓性の基板２の一方の側面に所定間隔で多数個の発光ダイオード素子３を取付けた点で、このように２列に多数個の発光ダイオード素子３、３を配置した照明装置１Ｇにしても前記本発明を実施するための最良の第１の形態と同様な作用効果が得られる。
【００２６】
図２７ないし図２９に示す本発明を実施するための第９の形態において、前記本発明を実施するための第８の形態と主に異なる点は、可撓性の基板２の両側面に所定間隔で多数個の発光ダイオード素子３、３を取付けた点で、このように２列に多数個の発光ダイオード素子３、３を配置した照明装置１Ｈにしても、前記本発明を実施するための第８の形態と同様な作用効果が得られる。
【００２７】
図３０ないし図３２に示す本発明を実施するための第１０の形態において、前記本発明を実施するための第７の形態と主に異なる点は、可撓性の基板２の一方の側面に所定間隔で多数個の発光ダイオード素子３を取付けた点で、このように３列に多数個の発光ダイオード素子３、３、３を配置した照明装置１Ｉにしても、
前記本発明を実施するための第７の形態と同様な作用効果が得られる。
【００２８】
図３３ないし図３５に示す本発明を実施するための第１１の形態において、前記本発明を実施するための第７の形態と主に異なる点は、可撓性の基板２の両側面に所定間隔で多数個の発光ダイオード素子３、３を取付けた点で、このように４列に多数個の発光ダイオード素子３、３、３、３を配置した照明装置１Ｊにしても、前記本発明を実施するための第７の形態と同様な作用効果が得られる。
【００２９】
図３６ないし図３８に示す本発明を実施するための第１２の形態において、前記本発明を実施するための第８の形態と主に異なる点は、可撓性の基板２の上面および一方の側面に所定間隔、本発明の実施の形態では所定間隔をあけて複数個一定間隔で配置した多数個の発光ダイオード素子３、３を２列に取付けた点で、このように構成した照明装置１Ｋにしても、前記本発明を実施するための第８の形態と同様な作用効果が得られる。
【００３０】
図３９ないし図４１に示す本発明を実施するための第１３の形態において、前記本発明を実施するための第３の形態と主に異なる点は、多数個の発光ダイオード素子３を順次点滅させるチップ１７、１７を点灯回路５に設けた点で、このように構成した照明装置１Ｌにすることにより、多数個の発光ダイオード素子３を順次点滅点灯させることができ、階段の手摺、エスカレーターの上り、下がり表示、通路の表示等に使用することができるとともに、前記本発明を実施するための第３の形態と同様な作用効果が得られる。
【００３１】
図４２ないし図４４に示す本発明を実施するための第１４の形態において、前記本発明を実施するための第３の形態と主に異なる点は、多数個の発光ダイオード素子３がそれぞれ挿入される多数個の透孔１８が形成されたベース板１９と、このベース板１９の多数個の透孔１８に挿入された発光ダイオード素子３を可撓性の基板２の両側部を隙間を介して覆う、該ベース板１９に取付けられた側板２０、２０と、この側板２０、２０間の隙間に充填された絶縁材製の防水剤２１とからなるカバー体２２を用いた点で、このように構成された照明装置１Ｍにしてもよい。
【００３２】
図４５ないし図４７に示す本発明を実施するための第１５の形態において、前記本発明を実施するための第１４の形態と主に異なる点は、カバー体２２の上下部より、所定間隔の多数個の発光ダイオード素子３、３が突出するように上下部に多数個の発光ダイオード素子３、３を取付けた可撓性の基板２を用いた点で、このように構成した照明装置１Ｎにしてもよい。
【００３３】
図４８ないし図５０に示す本発明を実施するための第１６の形態において、前記本発明を実施するための第１４の形態と主に異なる点は、直線あるいは曲線に形成されたチャンネル状のケース体２３と、このケース体２３内に所定間隔で挿入固定された可撓性の基板２を支持する支持溝２４が形成された支持体２５と、前記ケース体２３の開口部２３ａを覆う透明材製の蓋２６とからなるカバー体２２Ａを用いた点で、このように構成された照明装置１Ｏにしてもよい。
【００３４】
図５１ないし図５３に示す本発明を実施するための第１７の形態において、前記本発明を実施するための第１６の形態と主に異なる点は、チャンネル状のケース体２３と、このケース体２３の開口端部よりも多数個の発光ダイオード素子３の先端部が突出しないように可撓性の基板２を該ケース体２３内に固定する固定板２７とからなるカバー体２２Ｂを用いた点で、このように構成した照明装置１Ｐは、前記本発明を実施するための第１６の実施の形態と同様な作用効果が得られるとともに、バックライトとして使用することもできる。
【００３５】
図５４ないし図５６に示す本発明を実施するための第１８の形態において、前記本発明を実施するための第３の形態と主に異なる点は、可撓性の基板２に所定間隔で発光ダイオード素子収納孔２８を形成し、該発光ダイオード素子収納孔２８内にそれぞれ発光ダイオード素子３が位置するように可撓性の基板２に取付けた点で、このように構成した照明装置１Ｑにしても、前記本発明を実施するための第３の形態と同様な作用効果が得られる。
【００３６】
なお、前記本発明を実施するための各実施の形態では、可撓性の基板を帯状に形成したものについて説明したが、本発明はこれに限らず、曲線状の帯状に形成した、帯状の端部を円盤状に形成したり、螺旋状の帯状に形成したものを使用してもよい。
【産業上の利用可能性】
【００３７】
本発明はネオンサイン等の照明装置を製造する産業で利用される。
【図面の簡単な説明】
【００３８】
【図１】本発明を実施するための最良の第１の形態の正面図。
【図２】本発明を実施するための最良の第１の形態の平面図。
【図３】本発明を実施するための最良の第１の形態の側面図。
【図４】本発明を実施するための最良の第１の形態の背面図。
【図５】本発明を実施するための最良の第１の形態の使用状態の説明図。
【図６】本発明を実施するための第２の形態の正面図。
【図７】本発明を実施するための第２の形態の背面図。
【図８】本発明を実施するための第２の形態の接続状態の説明図。
【図９】本発明を実施するための第３の形態の正面図。
【図１０】本発明を実施するための第３の形態の背面図。
【図１１】本発明を実施するための第３の形態の接続状態の説明図。
【図１２】本発明を実施するための第４の形態の正面図。
【図１３】本発明を実施するための第４の形態の背面図。
【図１４】本発明を実施するための第４の形態の接続状態の説明図。
【図１５】本発明を実施するための第５の形態の正面図。
【図１６】本発明を実施するための第５の形態の平面図。
【図１７】本発明を実施するための第５の形態の背面図。
【図１８】本発明を実施するための第６の形態の正面図。
【図１９】本発明を実施するための第６の形態の平面図。
【図２０】本発明を実施するための第６の形態の背面図。
【図２１】本発明を実施するための第７の形態の正面図。
【図２２】本発明を実施するための第７の形態の平面図。
【図２３】本発明を実施するための第７の形態の背面図。
【図２４】本発明を実施するための第８の形態の正面図。
【図２５】本発明を実施するための第８の形態の平面図。
【図２６】本発明を実施するための第８の形態の側面図。
【図２７】本発明を実施するための第９の形態の正面図。
【図２８】本発明を実施するための第９の形態の平面図。
【図２９】本発明を実施するための第９の形態の側面図。
【図３０】本発明を実施するための第１０の形態の正面図。
【図３１】本発明を実施するための第１０の形態の平面図。
【図３２】本発明を実施するための第１０の形態の側面図。
【図３３】本発明を実施するための第１１の形態の正面図。
【図３４】本発明を実施するための第１１の形態の平面図。
【図３５】本発明を実施するための第１１の形態の側面図。
【図３６】本発明を実施するための第１２の形態の正面図。
【図３７】本発明を実施するための第１２の形態の平面図。
【図３８】本発明を実施するための第１２の形態の側面図。
【図３９】本発明を実施するための第１３の形態の正面図。
【図４０】本発明を実施するための第１３の形態の平面図。
【図４１】本発明を実施するための第１３の形態の背面図。
【図４２】本発明を実施するための第１４の形態の平面図。
【図４３】本発明を実施するための第１４の形態の側面図。
【図４４】図４２の４４−４４線に沿う断面図。
【図４５】本発明を実施するための第１５の形態の平面図。
【図４６】本発明を実施するための第１５の形態の側面図。
【図４７】図４５の４７−４７線に沿う断面図。
【図４８】本発明を実施するための第１６の形態の平面図。
【図４９】本発明を実施するための第１６の形態の側面図。
【図５０】図４８の５０−５０線に沿う断面図。
【図５１】本発明を実施するための第１７の形態の平面図。
【図５２】本発明を実施するための第１７の形態の側面図。
【図５３】図５１の５３−５３線に沿う断面図。
【図５４】本発明を実施するための第１８の形態の正面図。
【図５５】本発明を実施するための第１８の形態の平面図。
【図５６】本発明を実施するための第１８の形態の側面図。
【符号の説明】
【００３９】
１、１Ａ、１Ｂ、１Ｃ、１Ｄ、１Ｅ、１Ｆ、１Ｇ，１Ｈ、１Ｉ、１Ｊ、１Ｋ、１
Ｌ、１Ｍ、１Ｎ、１Ｏ、１Ｐ、１Ｑ：照明装置、
２：可撓性の基板、            ３、３Ａ：発光ダイオード素子、
４：抵抗、                    ５：点灯回路、
６、６Ａ：＋端子、            ７、７Ａ：−端子、
８：ベース板、                ９：直流の電源、
１０：スイッチ、              １１：コネクター、
１２：接続具、                １３、１３Ａ：雄コネクター、
１４：雌コネクター、          １５：延長コード、
１６：透孔、                  １７：チップ、
１８：透孔、                  １９：ベース板、
２０：側板、                  ２１：防水剤、
２２、２２Ａ、２２Ｂ：カバー体、
２３：ケース体、              ２４：支持溝、
２５：支持体、                ２６：蓋、
２７：取付板、
２８：発光ダイオード素子収納孔。
【図１】
2005222903.tif 000003
【図２】
2005222903.tif 000004
【図３】
2005222903.tif 000005
【図４】
2005222903.tif 000006
【図５】
2005222903.tif 000007
【図６】
2005222903.tif 000008
【図７】
2005222903.tif 000009
【図８】
2005222903.tif 000010
【図９】
2005222903.tif 000011
【図１０】
2005222903.tif 000012
【図１１】
2005222903.tif 000013
【図１２】
2005222903.tif 000014
【図１３】
2005222903.tif 000015
【図１４】
2005222903.tif 000016
【図１５】
2005222903.tif 000017
【図１６】
2005222903.tif 000018
【図１７】
2005222903.tif 000019
【図１８】
2005222903.tif 000020
【図１９】
2005222903.tif 000021
【図２０】
2005222903.tif 000022
【図２１】
2005222903.tif 000023
【図２２】
2005222903.tif 000024
【図２３】
2005222903.tif 000025
【図２４】
2005222903.tif 000026
【図２５】
2005222903.tif 000027
【図２６】
2005222903.tif 000028
【図２７】
2005222903.tif 000029
【図２８】
2005222903.tif 000030
【図２９】
2005222903.tif 000031
【図３０】
2005222903.tif 000032
【図３１】
2005222903.tif 000033
【図３２】
2005222903.tif 000034
【図３３】
2005222903.tif 000035
【図３４】
2005222903.tif 000036
【図３５】
2005222903.tif 000037
【図３６】
2005222903.tif 000038
【図３７】
2005222903.tif 000039
【図３８】
2005222903.tif 000040
【図３９】
2005222903.tif 000041
【図４０】
2005222903.tif 000042
【図４１】
2005222903.tif 000043
【図４２】
2005222903.tif 000044
【図４３】
2005222903.tif 000045
【図４４】
2005222903.tif 000046
【図４５】
2005222903.tif 000047
【図４６】
2005222903.tif 000048
【図４７】
2005222903.tif 000049
【図４８】
2005222903.tif 000050
【図４９】
2005222903.tif 000051
【図５０】
2005222903.tif 000052
【図５１】
2005222903.tif 000053
【図５２】
2005222903.tif 000054
【図５３】
2005222903.tif 000055
【図５４】
2005222903.tif 000056
【図５５】
2005222903.tif 000057
【図５６】
2005222903.tif 000058